(57)【要約】【課題】現在の手乾燥装置は、手挿入時に吹き返しの水滴が飛散し、また、手挿入部内から発生する悪臭の飛散することとともに、装置運転時の騒音により使用者もしくは周囲の人に対して不快感を与えるという課題があり、手挿入部内の吹出口より手前に空気吸込口を設置することで吸込気流を発生させ、水滴と悪臭を吸込むことで外部に飛散させないことを目的とする。【解決手段】手挿入部３内に吹出口４及び空気吸込口８を備え、空気吸込口８の設置位置を吹出口４より手前に配置することにより、空気吸込口８より吸込気流が発生し、手挿入時に吹き返す水滴だけでなく手挿入部４内から発生する悪臭を吸込むことで外部への飛散を防止できる。【選択図】図２
2005102795.tif 000002
【特許請求の範囲】
【請求項１】
外部に向かって開口した手挿入部を有し、この手挿入部に設けられた単数もしくは複数の吹出口から空気流を吹出す構成の手乾燥装置であって、空気流発生装置への空気の供給を行う吸込経路の入口端である空気吸込口を前記手挿入部に設けられた前記吹出口より手挿入方向に対して手前に設置したことを特徴とする手乾燥装置。
【請求項２】
外部に向かって開口した手挿入部を有し、この手挿入部に設けられた単数もしくは複数の吹出口から空気流を吹出す構成の手乾燥装置であって、空気流発生装置への空気の供給を行う吸込経路の入口端である空気吸込口を前記手挿入部を形成する面の少なくとも一面に単数もしくは複数個所設置したことを特徴とする請求項１記載の手乾燥装置。
【請求項３】
外部に向かって開口した手挿入部を有し、この手挿入部に設けられた単数もしくは複数の吹出口から空気流を吹出す構成の手乾燥装置であって、空気流発生装置への空気の供給を行う吸込経路の入口端である空気吸込口を前記手挿入部を形成する面の互いに対向する２面に単数もしくは複数個所設置したことを特徴とする請求項１記載の手乾燥装置。
【請求項４】
外部に向かって開口した手挿入部を有し、この手挿入部に設けられた単数もしくは複数の吹出口から空気流を吹出す構成の手乾燥装置であって、空気流発生装置への空気の供給を行う吸込経路の入口端である空気吸込口を前記手挿入部に設けられた前記吹出口と同一面に単数もしくは複数個所設置したことを特徴とする請求項１記載の手乾燥装置。
【請求項５】
外部に向かって開口した手挿入部を有し、この手挿入部に設けられた単数もしくは複数の吹出口から空気流を吹出す構成の手乾燥装置であって、空気流発生装置への空気の供給を行う吸込経路の入口端である空気吸込口を前記手挿入部の上面に単数もしくは複数個所配置したことを特徴とする手乾燥装置。
【請求項６】
外部に向かって開口した手挿入部を有し、この手挿入部に設けられた単数もしくは複数の吹出口から空気流を吹出す構成の手乾燥装置であって、空気吸込口形状を前記吹出口と同一形状とし、かつ同一に配列したことを特徴とする請求項１または５記載の手乾燥装置。
【請求項７】
外部に向かって開口した手挿入部を有し、この手挿入部に設けられた単数もしくは複数の吹出口から空気流を吹出す構成の手乾燥装置であって、空気吸込口形状を凸形状としたことを特徴とする請求項１または５記載の手乾燥装置。
【請求項８】
外部に向かって開口した手挿入部を有し、この手挿入部に設けられた単数もしくは複数の吹出口から空気流を吹出す構成の手乾燥装置であって、空気吸込口形状を穴形状としたことを特徴とする請求項１または５記載の手乾燥装置。
【請求項９】
外部に向かって開口した手挿入部を有し、この手挿入部に設けられた単数もしくは複数の吹出口から空気流を吹出す構成の手乾燥装置であって、空気吸込口形状をスリット形状としたことを特徴とする請求項１または５記載の手乾燥装置。
【請求項１０】
外部に向かって開口した手挿入部を有し、この手挿入部に設けられた単数もしくは複数の吹出口から空気流を吹出す構成の手乾燥装置であって、吹出口から吹出される吹出気流を空気吸込口へ吹出すことを特徴とすることを特徴とする請求項１から９のいずれか記載の手乾燥装置。
【請求項１１】
外部に向かって開口した手挿入部を有し、この手挿入部に設けられた単数もしくは複数の吹出口から空気流を吹出す構成の手乾燥装置であって、空気吸込口に通過空気を浄化する機能を有した脱着可能な空気浄化手段を装着したことを特徴とする請求項１から９のいずれか記載の手乾燥装置。
【請求項１２】
外部に向かって開口した手挿入部を有し、この手挿入部に設けられた単数もしくは複数の吹出口から空気流を吹出す構成の手乾燥装置であって、空気吸込口に通過空気を浄化する機能とともに消臭もしくは芳香の少なくとも一方を付加する機能を有した空気浄化手段を装着したことを特徴とする請求項１から９のいずれか記載の手乾燥装置。
【請求項１３】
外部に向かって開口した手挿入部を有し、この手挿入部に設けられた単数もしくは複数の吹出口から空気流を吹出す構成の手乾燥装置であって、空気吸込口を脱着可能とし、通過空気を漉過する機能を有した空気浄化手段を前記空気吸込口の内側に装着したことを特徴とする請求項１から９のいずれか記載の手乾燥装置。
【請求項１４】
外部に向かって開口した手挿入部を有し、この手挿入部に設けられた単数もしくは複数の吹出口から空気流を吹出す構成の手乾燥装置であって、吸込経路と吹出経路を近接させたことを特徴とする請求項１から９のいずれか記載の手乾燥装置。
【発明の詳細な説明】
【技術分野】
【０００１】
本発明は、洗面所やトイレ等で手を洗い、濡れた手を乾燥させる手乾燥装置に関するものである。
【背景技術】
【０００２】
従来、この種の手乾燥装置は、高速風により乾燥する方式としたものが知られている（例えば、特許文献１参照または特許文献２参照）。
【０００３】
以下、その手乾燥装置について図８を参照しながら説明する。
【０００４】
図に示すように、壁面に固定された本体１０１は、フロントケース１０２および下部に突設した水受け皿１０３で構成されており、フロントケース１０２と水受け皿１０３の間に乾燥空間１０２ａが形成される。フロントケース１０２内には送風装置１０４、発熱手段１０５および制御手段１０８が設けられており、フロントケース１０２の下端部には送風吹出ノズル１０６を乾燥空間１０２ａに向けて、水受け皿１０３に向けて送風するように設置されている。また送風吹出ノズル１０６の近傍には乾燥空間１０２ａ内に差し出した手を検知する検知手段１１０が設けられ、前記制御手段１０８は検知手段１１０の検知信号を受けて送風装置１０４および発熱手段１０５を駆動制御している。また、水受け皿１０３の前部および左右側部には突出壁１０７を形成している。
【０００５】
前記構成において濡れた手を乾燥空間１０２ａに挿入すると、検知手段１１０により検知され、送風装置１０４および発熱手段１０５により温風が形成されて吹出ノズル１０６より送風される。このとき差し出した手に温風が当たり、手を乾燥させる。手を引っ込めると検知手段１１０の検出がなくなるので、送風装置１０４および発熱手段１０５は停止する。
【０００６】
また、手から離れた水滴は水受け皿１０３に集められるが、送風吹出ノズル１０６の送風により飛散しやすくなるため、水受け皿１０３の前部および側部の突出壁１０７により周囲への飛散を防止するものであった。
【０００７】
また、送風装置１０４を固定する固定カバー１１１と、送風吹出ノズル１０６と、吸込空間１１２と送風装置１０４を分離する分離カバー１１３によって送風装置１０４を密閉し、全ての部品を接続する送風経路において大気圧よりも上昇させた高静圧状態を構成するものであった。
【特許文献１】特開平１０−７１１０１号公報（第３頁、第１図）
【特許文献２】特許第３４１５０１１号公報
【発明の開示】
【発明が解決しようとする課題】
【０００８】
このような従来の手乾燥装置では、手挿入部や排水ダクトから悪臭が発生し、装置外に放出することで使用者が不快に感じるという課題があり、悪臭を除去または放出防止することが要求されている。
【０００９】
また、使用者が手を手挿入部に入れた際に、手に付いた水滴が周囲に吹き返して飛散するという課題があり、吹き返しによる水滴の飛散を防止することが要求されている。
【００１０】
また、従来の手乾燥装置では一般的に騒音が大きく、使用者または周囲に対して不快感を与えるという課題があり、騒音を低減することが要求されている。
【００１１】
本発明は、このような従来の課題を解決するものであり、悪臭の放出を防止することができ、吹き返しによる水滴の飛散を防止することができ、騒音を低減した手乾燥装置を提供することを目的としている。
【課題を解決するための手段】
【００１２】
本発明の手乾燥装置は前記目的を達成するために、空気流発生装置への空気の供給を行う吸込経路の入口端である空気吸込口を手挿入部に設けられた吹出口より手挿入方向に対して手前に設置したものである。
【００１３】
この手段により手挿入部に設置された前記吹出口より手前に吸込気流が発生し、前記吸込気流によって前記手挿入部から放出される悪臭を捕集することができ、且つ、前記吸込気流によって前記手挿入部の外へ飛散する水滴を捕集することにより、前記手挿入部から放出される悪臭や飛散する水滴を抑制できる手乾燥装置が得られる。
【００１４】
また他の手段は、空気吸込口を手挿入部を形成する面の少なくとも一面に単数もしくは複数個所設置したものである。これにより前記手挿入部形状に応じて効率良く吸込気流の発生させ、前記吸込気流によって前記手挿入部から放出される悪臭を捕集することができ、且つ、前記吸込気流によって前記手挿入部の外へ飛散する水滴を捕集することにより、前記手挿入部から放出される悪臭や飛散する水滴を抑制できる手乾燥装置が得られる。
【００１５】
また他の手段は、空気吸込口を手挿入部を形成する面の互いに対向する２面に単数もしくは複数個所設置したものである。これにより挿入された手によって前記吸込気流が寸断されることが無いため手挿入の有無に関わらず、前記手挿入部から放出される悪臭を捕集することができ、且つ、前記吸込気流によって前記手挿入部の外へ飛散する水滴を捕集することにより、前記手挿入部から放出される悪臭や飛散する水滴を抑制できる手乾燥装置が得られる。
【００１６】
また他の手段は、空気吸込口を手挿入部に設けられた吹出口と同一面に単数もしくは複数個所設置したものである。これにより前記吹出口から発生した吹出気流と吸込気流を同一方向に発生させ、手挿入時に前記吹出口から発生した前記吹出気流によって手から飛散する水滴をすばやく捕集することができ、且つ、前記手挿入部から放出される悪臭を捕集することにより、前記手挿入部から放出される悪臭や飛散する水滴を抑制できる手乾燥装置が得られる。
【００１７】
また他の手段は、空気吸込口を手挿入部の上面に単数もしくは複数個所配置したものである。これにより手挿入部に設置された吹出口より手前に吸込気流が発生し、前記吸込気流によって前記手挿入部から放出される悪臭を捕集することができ、且つ、前記吸込気流によって前記手挿入部の外へ飛散する水滴を捕集することにより、前記手挿入部から放出される悪臭や飛散する水滴を抑制できる手乾燥装置が得られる。
【００１８】
また他の手段は、空気吸込口を吹出口と同一形状とし、かつ同一に配列したものである。これにより手挿入時に前記吹出口から発生した吹出気流によって手から飛散する水滴をすばやく捕集することができ、且つ、前記手挿入部から放出される悪臭を捕集することにより、前記手挿入部から放出される悪臭や飛散する水滴を抑制できる手乾燥装置が得られる。
【００１９】
また他の手段は、空気吸込口形状を凸形状としたものである。これにより、手挿入部に設置された吹出口から吹出気流が放出される際に発生する吹出し騒音を遮断することにより外部に放射される騒音を低減でき、使用者または周囲に不快感を軽減でき、且つ、前記手挿入部に設置された前記吹出口より手前に吸込気流が発生し、前記吸込気流によって前記手挿入部から放出される悪臭を捕集することができ、且つ、前記吸込気流によって前記手挿入部の外へ飛散する水滴を捕集することにより、前記手挿入部から放出される悪臭や飛散する水滴を抑制できる手乾燥装置が得られる。
【００２０】
また他の手段は、空気吸込口形状を穴形状としたものである。それにより手挿入部に設置された吹出口より手前に吸込気流が発生し、前記吸込気流によって前記手挿入部から放出される悪臭を捕集することができ、且つ、前記吸込気流によって前記手挿入部の外へ飛散する水滴を捕集することにより、前記手挿入部から放出される悪臭や飛散する水滴を抑制できる手乾燥装置が得られる。
【００２１】
また他の手段は、空気吸込口形状をスリット形状としたものである。それにより手挿入部に設置された吹出口より手前に吸込気流が発生し、前記吸込気流によって前記手挿入部から放出される悪臭を捕集することができ、且つ、前記吸込気流によって前記手挿入部の外へ飛散する水滴を捕集することにより、前記手挿入部から放出される悪臭や飛散する水滴を抑制できる手乾燥装置が得られる。
【００２２】
また他の手段は、吹出口から吹出される気流を空気吸込口へ吹出すものである。それにより前記吹出口から吹出される吹出気流が手挿入部を形成する壁面に衝突する衝突音を抑制することで低騒音化でき、且つ、吸込気流によって前記手挿入部から放出される悪臭を捕集することができ、且つ、前記吸込気流によって手挿入部の外へ飛散する水滴を捕集することにより、前記手挿入部から放出される悪臭や飛散する水滴を抑制できる手乾燥装置が得られる。
【００２３】
また他の手段は、空気吸込口に通過空気を浄化する機能を有した脱着可能な空気浄化手段を装着したものである。これにより前記空気吸込口から吸込まれる空気を浄化することで、手挿入部に雑菌等を吹出さず、雑菌の発生による悪臭を抑制できる手乾燥装置が得られる。
【００２４】
また他の手段は、空気吸込口に通過空気を浄化する機能とともに消臭もしくは芳香の少なくとも一方を付加する機能を有した空気浄化手段を装着したものである。これにより装置運転時は前記空気吸込口から吸込まれる空気を浄化することで、手挿入部に雑菌等を吹出さず、雑菌の発生による悪臭を抑制し、また、停止時には手乾燥装置周囲の悪臭を抑制することができる手乾燥装置が得られる。
【００２５】
また他の手段は、空気吸込口を脱着可能とし、通過空気を浄化する機能を有した空気浄化手段を前記空気吸込口の内側に装着したものである。これにより前記空気吸込口から吸込まれる空気を浄化することで、手挿入部に雑菌等を吹出さず、雑菌の発生による悪臭を抑制できる手乾燥装置が得られる。
【００２６】
また他の手段は、吸込経路と吹出経路を近接させたものである。前記吸込経路から発生する騒音と吹出経路から発生する騒音とを打ち消しあうように配置することで外部に放射される騒音を低減でき、使用者または周囲に不快感を軽減できる手乾燥装置が得られる。
【発明の効果】
【００２７】
本発明によれば空気吸込口を手挿入部に設けられた吹出口より手挿入方向に対して手前に設置することにより前記手挿入部に吸込気流を発生させ、前記吸込気流により外部へ放出される悪臭を抑制し、且つ、前記手挿入部から外部へ飛散する水滴を抑制することで使用者または周囲の人への不快感を軽減する効果のある手乾燥装置を提供できる。
【００２８】
また、空気吸込口を凸形状とし、手挿入部内に設置された吹出口から放出される吹出気流の発生騒音を遮断して低騒音化することで、使用者または周囲の人への不快感を軽減する効果のある手乾燥装置を提供できる。
【００２９】
また、吹出口から吹出される気流を空気吸込口へ吹出すことで、前記吹出口から吹出される吹出気流が手挿入部を形成する壁面に衝突する衝突音を抑制して低騒音化することで、使用者または周囲の人への不快感を軽減する効果のある手乾燥装置を提供できる。
【００３０】
また、空気吸込口に空気浄化手段を設置することにより、悪臭の原因となる雑菌を除去した空気を前記吹出口から吹出して雑菌の発生を抑制して悪臭を減らすことで、使用者または周囲の人への不快感を軽減する効果のある手乾燥装置を提供できる。
【００３１】
また、空気吸込口に空気浄化手段且つ消臭もしくは芳香の機能を持たせることにより装置運転時は浄化された空気を前記吹出口から吹出し、装置停止時は装置周囲の空気を消臭もしくは芳香することで使用者または周囲の人への不快感を軽減できる。
【００３２】
また、吸込経路と吹出経路を近接させ、それぞれ発生する騒音を打ち消しあわせて低騒音化することで、使用者または周囲の人への不快感を軽減する効果のある手乾燥装置を提供できる。
【発明を実施するための最良の形態】
【００３３】
本発明の請求項１記載の発明は、空気吸込口を手挿入部に設けられた吹出口より手挿入方向に対して手前に設置したものであり、前記手挿入部に吸込気流を発生させ、前記吸込気流により外部へ放出される悪臭を抑制し、且つ、前記手挿入部から外部へ飛散する水滴を抑制するという作用を有する。
【００３４】
また、空気吸込口を凸形状としたものであり、手挿入部に設置された吹出口から吹出気流が放出される際に発生する吹出し騒音を遮断することにより低騒音化することができる。
【００３５】
また、吹出口から吹出される気流を空気吸込口へ吹出すようにしたものであり、前記吹出口から吹出される吹出気流が手挿入部を形成する壁面に衝突する衝突音を抑制して低騒音化するという作用を有する。
【００３６】
また、空気吸込口に空気浄化手段を設置したものであり、悪臭の原因となる雑菌を除去した空気を前記吹出口から吹出して雑菌の発生を抑制して悪臭を減らすという作用を有する。
【００３７】
また、空気吸込口に空気浄化手段且つ消臭もしくは芳香の機能を持たせたものであり、装置運転時は浄化された空気を前記吹出口から吹出し、装置停止時は装置周囲の空気を消臭もしくは芳香する作用を有する。
【００３８】
また、吸込経路と吹出経路を近接さたものであり、それぞれ発生する騒音を打ち消しあわせて低騒音化する作用を有する。
【００３９】
以下、本発明の実施の形態について図面を参照しながら説明する。
【００４０】
（実施の形態１）
図１〜図５に示すように、壁面にもしくは床面に固定された本体１は空気流発生手段２としての高速ターボブロワと外部に向かって開口し、手を挿入できる容積を持った手挿入部３を有し、前記手挿入部３を形成する面に吹出口４を備え、前記空気流発生手段２により吹出経路５を通って前記吹出口４より高圧空気が吹出される。
【００４１】
また、前記本体１内には制御手段６を設け、前記吹出口４の近傍には挿入された手を検知する検知手段７を設けることで、前記検知手段７の検知信号を前記制御手段６が受信して空気流発生手段２の駆動を制御している。
【００４２】
一方、空気吸込口８は前記手挿入部３内に設置された前記吹出口４より手前に設置され、吸込経路９を通って前記空気流発生手段２に空気を供給している。
【００４３】
また、水受け皿１０と排水ダクト１１は、前記手挿入部３より下に設けることにより手から分離された水滴は重力により前記手挿入部３の底面に集められ、前記排水ダクト１１を通って前記水受け皿１０に貯蔵されるように構成される。
【００４４】
前記構成において、手挿入部３に手が差し込まれると、検知手段７が手を検知して、その検知出力がオンとなり、制御手段６を介して空気流発生装置５を動作させ、吹出口４から発生する吹出気流が手の表面に当たり、付着した水滴を分離しつつ乾燥し、分離された水滴は前記手挿入部３内の側壁面に付着し、前記手挿入部３下部の水受け皿１０まで自然に流すことができ、且つ、空気吸込口８は吹出口４より吹出され、手挿入部３の形状に沿って吹き返す空気を吸込むこととなり、水受け皿１０に貯蔵された排水もしくは排水ダクト１１及び前記手挿入部３に付着した水分により発生する悪臭を外部へ漏らさないこととなる。
【００４５】
また、手挿入時に使用者の手に付着していた水分が前記吹出口４から発生する気流により手から分離され、前記手挿入部３より外部に飛散しようとする水分を前記空気吸込口８より発生する吸込気流により吸引し、外部に飛散するのを防止することにより使用者に水滴が吹き返ることが無く、清潔に使用することができる。また、手乾燥装置周囲に対しても水滴が飛散するのを防止することにより手乾燥装置周囲を汚すこと無く清潔な環境を作り出せる。
【００４６】
なお、前記空気吸込口８の形状は、穴、スリット、多角形形状としてもよい。
【００４７】
なお、前記空気吸込口８の数量は、単数もしくは複数としてもよい。
【００４８】
なお、前記空気吸込口８の設置位置は、前記手挿入部３内に設置された前記吹出口４より手挿入方向に対して手前であり、且つ、前記手挿入部３を形成する面の少なくとも一面、もしくは前記手挿入部３を形成する面の互いに対向する２面、もしくは前記手挿入部３内に設置された前記吹出口４と同一の面、もしくは前記手挿入部３の上面に設置してもよい。
【００４９】
（実施の形態２）
図６は手挿入部の斜視図であり、空気吸込口８を手挿入部３の内側に向かって凸形状としたものである。
【００５０】
前記構成において、外部に向かって開口する面積が小さくなることで、前記手挿入部内から発生する悪臭の飛散を抑制することができ、且つ、吹出口から吹出気流が放出される際に発生する吹出し騒音を遮断することにより、外部に放射する騒音を低減することができる。
【００５１】
また、挿入された手と前記空気吸込口８との距離が短くなることにより、前記空気吸込口８から発生する吸込気流の減衰を低減でき、使用者の手から分離された水滴をすばやく吸込むことにより外部に飛散する水滴を防止できる。
【００５２】
なお、前記空気吸込口８の形状は、穴、スリット、多角形形状としてもよい。
【００５３】
なお、前記空気吸込口８の数量は、単数もしくは複数としてもよい。
【００５４】
なお、前記空気吸込口８の設置位置は、前記手挿入部３内に設置された前記吹出口４より手挿入方向に対して手前であり、且つ、前記手挿入部３の内側に向かって凸形状であり、且つ、前記手挿入部３を形成する面の少なくとも一面、もしくは前記手挿入部３を形成する面の互いに対向する２面、もしくは前記手挿入部３内に設置された前記吹出口４と同一の面、もしくは前記手挿入部３の上面に設置してもよい。
【００５５】
（実施の形態３）
図７は手挿入部の横断面図であり、吹出口４から発生する吹出気流の向きを空気吸込口８の方向へ吹出すように構成したものである。
【００５６】
前記構成において、前記吹出口４から発生する吹出気流は手挿入部３を形成する壁面に衝突する衝突音を抑制することで外部に放射する騒音を低減できる。
【００５７】
なお、前記空気吸込口８から発生する吸込気流を前記吹出口４の方向に吸込むことにより、前記吹出口４から発生する吹出気流を直接吸込むことができ、衝突音を抑制する効果が高く、さらに外部に放射する騒音を低減できる。
【００５８】
（実施の形態４）
図８は手挿入部の斜視図、図９は空気浄化手段１０の断面図であり、空気吸込口８に通貨空気を浄化する機能を有した着脱可能な空気浄化手段１０としてのフィルタを設置したものである。
【００５９】
前記構成において、前記空気吸込口８から吸込まれる空気を浄化することで、吹出口４から浄化された空気を吹出すことにより、手挿入部３に雑菌が付着することがなく、雑菌の発生による悪臭を抑制できる。
【００６０】
なお、前記空気浄化手段１０において、通過空気を浄化する機能とともに消臭もしくは芳香の機能を有したものであり、前記空気吸込口８から吸込まれる空気を浄化することで、手挿入部に雑菌等を吹出すことがなく、雑菌の発生による悪臭を抑制し、また、停止時には手乾燥装置周囲の悪臭を抑制することができる。
【００６１】
なお、前記空気浄化手段１０において、前記空気吸込口８の内側に設置することで、使用者が直接前記空気浄化手段１０によって捕集された異物を見ることが無く、装置の清潔感を保つことができる。
【００６２】
なお、前記空気吸込口８の設置位置は、前記手挿入部３内に設置された前記吹出口４より手挿入方向に対して手前であり、且つ、前記手挿入部３の内側に向かって凸形状であり、且つ、前記手挿入部３を形成する面の少なくとも一面、もしくは前記手挿入部３を形成する面の互いに対向する２面、もしくは前記手挿入部３内に設置された前記吹出口４と同一の面、もしくは前記手挿入部３の上面に設置してもよい。
【００６３】
（実施の形態５）
図１０は、本体１内の吹出経路５と吸込経路９を示した図であり、前記吹出経路５と吸込経路９を近接させたものである。
【００６４】
前記構成において、前記吹出経路５と前記吸込経路９から透過する騒音を互いに打ち消し合うように配置することにより、装置内から発生する騒音を低減できる。
【産業上の利用可能性】
【００６５】
本発明にかかる手乾燥装置は、空気吸込口の設置位置を手挿入部を形成する面に設置された吹出口より手挿入方向に対して手前に配置することにより、空気吸込口から吸込気流を発生させ、手挿入部内から発生する悪臭の外部への飛散を防止でき、且つ、使用者の手から分離した水滴が外部へ飛散することがないため、使用者または周囲の人への不快感を軽減するという効果を有する。
【００６６】
また、空気吸込口形状を凸形状とすることで、吹出口から発生する吹出音を遮断し、低騒音化でき、使用者または周囲の人への不快感を軽減するという効果を有する。
【００６７】
また、空気吸込口に空気浄化手段を設置することで、事前に手挿入部に雑菌を付着させることが無く、雑菌による悪臭の発生を防止でき、使用者または周囲の人への不快感を軽減するという効果を有する。
【００６８】
また、吹出経路と吸込経路を近接させ、それぞれの経路から発生する騒音を干渉させることにより装置を低騒音化でき、使用者または周囲の人への不快感を軽減するという効果を有する。
【００６９】
よって、洗面所やトイレ等で手を洗い、濡れた手を乾燥させる装置等として有効である。
【００７０】
また、一般的に液体によって濡れたものを乾燥させる用途としても適用できる。
【図面の簡単な説明】
【００７１】
【図１】本発明の実施の形態１の構造を示す正面断面図
【図２】同吹出経路を示す側面断面図
【図３】同吸込経路を示す側面断面図
【図４】同手挿入部の斜視図
【図５】同実施の形態２の手挿入部の斜視図
【図６】同実施の形態３の手挿入部の側面断面図
【図７】同実施の形態４の手挿入部の斜視図
【図８】従来の手乾燥装置の構造を示す側面断面図
【符号の説明】
【００７２】
１    本体
２    空気流発生手段
３    手挿入部
４    吹出口
５    吹出経路
６    制御手段
７    検知手段
８    空気吸込口
９    吸込経路
１０  水受け皿
１１  排水ダクト
１２  空気浄化手段
【図１】
2005102795.tif 000003
【図２】
2005102795.tif 000004
【図３】
2005102795.tif 000005
【図４】
2005102795.tif 000006
【図５】
2005102795.tif 000007
【図６】
2005102795.tif 000008
【図７】
2005102795.tif 000009
【図８】
2005102795.tif 000010